(57)【要約】      （修正有）【課題】リモコン装置等の試作および検証を行うにあたり、これに必要な複数種類のスイッチ部品や表示用ＬＥＤ等をキットとした電気部品のパッケージ装置を提供する。【解決手段】台紙の機能を果たす下保護シート１１と、この下保護シート上に載置された複数の電気部品Ｓ２と、下保護シート１１と各電気部品の一部を覆うようにして重ね合わされたカバーシート１３とが備えられる。カバーシート１３には、各電気部品の本体部を表出させることができる開口部１５が形成されると共に、下保護シート１１に対向する面には、下保護シートに粘着する粘着層１４が形成される。各電気部品の本体部に接続されたリード線Ｌとその先端部の接続端子Ｔとが、カバーシート１３と下保護シート１１との間に介在された状態で保護される。【選択図】図３
0003192029.tif 000002
【実用新案登録請求の範囲】
【請求項１】
台紙の機能を果たす下保護シートと、この下保護シート上に載置された複数の電気部品と、前記下保護シートと前記各電気部品の一部を覆うようにして重ね合わされたカバーシートとを備えた電気部品のパッケージ装置であって、
前記カバーシートには、前記各電気部品の本体部を表出させることができる開口部が形成されると共に、前記下保護シートに対向する面に、前記下保護シートに粘着する粘着層が形成され、
前記各電気部品の本体部に接続されたリード線とその先端部の接続端子とが、前記粘着層を介して貼着された前記カバーシートと下保護シートとの間に介在された状態で、各電気部品が保持されていることを特徴とする電気部品のパッケージ装置。
【請求項２】
前記カバーシートと、当該カバーシートに形成された前記開口部から表出する電気部品の本体部を、その上面から覆う透明もしくは半透明の樹脂フィルムによる上保護シートがさらに備えられ、前記上保護シートにおけるカバーシートに対向する面に形成された粘着層を利用して、上保護シートによって前記カバーシートおよび電気部品の本体部を覆ったことを特徴とする請求項１に記載された電気部品のパッケージ装置。
【請求項３】
前記電気部品の本体部における前記下保護シートに接する面には、粘着層が形成されていることを特徴とする請求項１または請求項２に記載された電気部品のパッケージ装置。
【考案の詳細な説明】
【技術分野】
【０００１】
この考案は、複数個のスイッチ部品や表示用ＬＥＤ等の電気部品を並べて収容する電気部品のパッケージ装置に関する。
【背景技術】
【０００２】
昨今におけるテレビやエアコン等に代表される家庭用電化製品には、多数の操作機能を備えたものが実用化されており、さらに自動車や電車等の車両あるいは産業機器や公共設備の操作卓等、もしくはこれらを遠隔操作するリモコン装置には、必然的に多数の操作用スイッチと表示用ＬＥＤ等が搭載されている。
これに伴い、前記したリモコン装置等においては、操作上の利便性に配慮して、各スイッチのレイアウトやＬＥＤ等を機能的に配置することが重要となる。
【０００３】
そこで、前記した家庭用電化製品と共に、リモコン装置を販売供給する電機メーカや機器メーカさらには大学等の研究機関においては、何種類かの操作スイッチおよびＬＥＤ等のレイアウトパターンを試作して、操作卓やリモコン装置の操作上の最適化や問題点を検証する作業が行われる。
【０００４】
前記したリモコン装置等を試作しようとする場合には、例えば本件出願人においてもすでに提案をしている特許文献１に開示されたようなスイッチ機構を、基板上に多数配列した複数種類のレイアウトパターンを試作する必要がある。したがって、これによると多くの試作費用および開発期間も必要となる。
【先行技術文献】
【特許文献】
【０００５】
【特許文献１】特開２０１０−２７２４８０号公報
【考案の概要】
【考案が解決しようとする課題】
【０００６】
この考案は、前記したリモコン装置を含むコントーラボード等を試作および検証を行うにあたり、これに必要な複数種類のスイッチ部品や表示用ＬＥＤ等をキットとして提供し、各電気部品の最適なレイアウトの検証を効率的に行うことができる電気部品のパッケージ装置を提供しようとするものである。
【０００７】
この場合、パッケージされた状態の電気部品単体ごとの外観を確認することが可能であると共に、各電気部品にそれぞれ接続されたリード線やその先端部の接続端子を剥離シートによって被覆することで、前記リード線および接続端子を保護する機能を果たすことができる電気部品のパッケージ装置を提供することを課題とするものである。
また、剥離シートをはがす手数だけで電気部品単体を取り出すことができると同時に前記リード線および接続端子から保護シートをはがす作業が同時に行うことが可能な電気部品のパッケージ装置を提供することを課題とするものである。
【課題を解決するための手段】
【０００８】
前記した課題を解決するためになされたこの考案にかかる電気部品のパッケージ装置は、台紙の機能を果たす下保護シートと、この下保護シート上に載置された複数の電気部品と、前記下保護シートと前記各電気部品の一部を覆うようにして重ね合わされたカバーシートとを備えた電気部品のパッケージ装置であって、前記カバーシートには、前記各電気部品の本体部を表出させることができる開口部が形成されると共に、前記下保護シートに対向する面に、前記下保護シートに粘着する粘着層が形成され、前記各電気部品の本体部に接続されたリード線とその先端部の接続端子とが、前記粘着層を介して貼着された前記カバーシートと下保護シートとの間に介在された状態で、各電気部品が保持されていることを特徴とする。
【０００９】
この場合、好ましくは前記カバーシートと、当該カバーシートに形成された前記開口部から表出する電気部品の本体部を、その上面から覆う透明もしくは半透明の樹脂フィルムによる上保護シートがさらに備えられ、前記上保護シートにおけるカバーシートに対向する面に形成された粘着層を利用して、上保護シートによって前記カバーシートおよび電気部品の本体部を覆った構成を好適に採用することができる。
【００１０】
加えて、前記電気部品の本体部における前記下保護シートに接する面には、粘着層が形成されていることが望ましい。
【考案の効果】
【００１１】
前記した構成の電気部品のパッケージ装置によると、各電気部品は下保護シートとカバーシートとの間に収容され、各電気部品の本体部は、カバーシートに形成された開口部から、表出された状態でパッケージされる。
したがって、パッケージ装置に収容されている各電気部品の種類や本体部のサイズ等を、確認することができると共に、各電気部品の本体部に接続されたリード線とその先端部の接続端子は、前記カバーシートと下保護シートとの間において保護することができる。
【００１２】
また、カバーシートは各電気部品の本体部に相当する開口部を有することから、各電気部品を使用した後に開口部形状に勘合させることで容易に収納することができる。カバーシート上に各電気部品の種類や本体部のサイズ等を文字や記号で印刷することで判別も容易となる。カバーシートの色彩や文字あるいは記号等により、異なる種類のキットの判別性を高める。
【００１３】
また、前記カバーシートの上を、透明もしくは半透明の樹脂フィルムによる上保護シートによってさらに覆った構成を採用することで、各電気部品の本体部の確認が可能であると共に、各電気部品の本体部も上保護シートによって保護することができる。
【００１４】
そして、前記した電気部品の本体部における下保護シートに接する面には、粘着層が形成されているので、パッケージ装置から外されたスイッチ部品や表示用ＬＥＤ等の電気部品は、前記粘着層を利用して、例えば平面上に即座に貼り付けることができる。
したがって、例えば実寸法の各スイッチ部品や表示用ＬＥＤ等を並び変える等して、リモコン装置を含むコントーラボード等の最適なレイアウトの検証を効率的に行うことが可能となる。
【図面の簡単な説明】
【００１５】
【図１】複数の電気部品をパッケージした状態におけるこの考案に係るパッケージ装置の外観を示した平面図である。
【図２】図１に示す状態からカバーシートを取り除いた状態を示した平面図である。
【図３】図１のＡ−Ａ線において各シート層を厚さ方向で分離した状態で示した拡大断面図である。
【考案を実施するための形態】
【００１６】
この考案に係る電気部品のパッケージ装置について、図に示す実施の形態に基づいて説明する。
図１は、複数の電気部品をキットとしてパッケージされた状態を平面図で示したものであり、この図１においては、電気部品として大小のタクトスイッチおよびＬＥＤの本体部のみが前面に表出した状態で示されている。
【００１７】
すなわち図１に示す例においては、後で積層構造で説明するとおり、カバーシート１３に形成された開口部１５、およびその前面に配置された透明もしくは半透明の樹脂フィルムによる上保護シート１６を介して、前記した電気部品の本体部が前面に表出された状態になされている。これによりパッケージされた状態で各電気部品の本体部の確認が可能であると共に、当該本体部は上保護シート１６によって保護されている。
【００１８】
なお、図１における符号Ｓ１〜Ｓ３は中型のタクトスイッチの本体部を示し、符号Ｓ４〜Ｓ７は小型のタクトスイッチの本体部を示している。また符号Ｓ８は丸形のタクトスイッチの本体部を示し、符号Ｓ９，Ｓ１０はそれぞれ５接点および４接点を備えた複合型タクトスイッチの本体部を示している。
また、図１における符号Ｄ１〜Ｄ３は例えばＲ，Ｇ，Ｂの単色発光ＬＥＤの本体部を示し、符号Ｄ４はＲ，Ｇ，Ｂの三色発光ＬＥＤの本体部を示している。
【００１９】
図２は、後述するカバーシート１２を取り除いた状態を平面図で示したものであり、各電気部品が、台紙の機能を果たす後述する下保護シート１１上に配列された状態で示している。
図２に示すように、前記したスイッチ部品の本体部Ｓ１〜Ｓ１０、およびＬＥＤの本体部Ｌ１〜Ｌ４には、例えば銅箔によるリード線Ｌ、およびその先端部に金属製の接続端子Ｔがそれぞれ備えられている。なお図２においては、図示が繁雑になるために、一部のスイッチ部品および一部のＬＥＤにのみ、リード線Ｌと接続端子Ｔの符号を付けて示している。
【００２０】
したがって、それぞれの電気部品の本体部に接続されたリード線Ｌと接続端子Ｔは、パッケージされた状態においては、後述するように下保護シート１１とカバーシート１３との間に挟まれた状態で保護される。
【００２１】
図３は、電気部品をパッケージした状態における図１に示すＡ−Ａ線より矢印方向に見た状態の拡大断面図であり、この図３においては説明の便宜上、各シートを厚さ方向で分離した状態で示している。
すなわち、図３は符号Ｓ２で示すスイッチ部品（単品）がパッケージされた状態を拡大して示したものである。
【００２２】
図３に示すように、若干厚手に構成された下保護シート１１は、台紙の機能を果たすものであり、この下保護シート１１の上面に符号Ｓ２で示すスイッチ部品が載置される。
このスイッチ部品Ｓ２には、前記したとおり銅箔によるリード線Ｌ、およびその先端部に金属製の接続端子Ｔが備えられており、スイッチ部品の本体部Ｓ２における前記下保護シート１１に接する面には、粘着層１２が形成されている。
なお、この粘着層１２は両面粘着テープを利用することで形成することができ、電気部品がパッケージされた状態においては、本体部Ｓ２の裏面に形成された前記粘着層１２は、下保護シート１１に貼り付いた状態になされる。
【００２３】
前記したスイッチ部品Ｓ２および下保護シート１１を覆うようにして、その上面にカバーシート１３が貼り付けられている。すなわち、このカバーシート１３における前記した下保護シート１１に対向する面には、前記下保護シート１１に粘着する粘着層１４が形成されている。この粘着層１４も両面粘着テープを利用することで形成することができる。
【００２４】
また、前記カバーシート１３には、電気部品としてのスイッチ部品の本体部Ｓ２を表出させることができる開口部１５が予め形成されている。したがって、図３に示すようにスイッチ部品の本体部Ｓ２は、前記開口部１５を介してカバーシート１３の表面側に表出され、本体部Ｓ２に接続された前記リード線Ｌと接続端子Ｔは、前記下保護シート１１とカバーシート１３との間に挟まれた状態で保護される。
【００２５】
さらに、この実施の形態においては、前記カバーシート１３と、その開口部１５から表出するスイッチ部品の本体部Ｓ２を、その上面から覆う上保護シート１６が備えられている。この上保護シート１６は、透明もしくは半透明の樹脂フィルムにより形成されており、上保護シート１６の裏面、すなわち前記カバーシート１３に対向する面には、比較的弱い粘着性を有する粘着層１７が形成されている。
前記上保護シート１６は、前記粘着層１７を利用して、前記カバーシート１３およびスイッチ部品の本体部Ｓ２を覆い、スイッチ部品の本体部Ｓ２を保護する機能を果たす。
【００２６】
なお図３に示した例は、特定のスイッチ部品Ｓ２を対象としたパッケージの積層構造を示しているが、この実施の形態においては、他のスイッチ部品やＬＥＤなどの電気部品も含めて、同様にまとめてキットとしてパッケージされる。
【００２７】
以上説明したこの考案に係る電気部品のパッケージ装置によると、前記した下保護シート１１からカバーシート１３を剥がすことにより、スイッチ部品や表示用ＬＥＤ等の各電気部品を選択的に取り出すことができる。
そして、各電気部品の裏面に形成された粘着層１２を利用して、位置決めしつつレイアウト等の検証を行うことができるなど、前記した考案の効果の欄に記載したとおりの作用効果を得ることができる。
【００２８】
なお、図に示した実施の形態においては、カバーシート１３から表出する電気部品の本体部を覆う上保護シート１６が備えられているが、この上保護シート１６はパッケージする商品に応じて省略しても、同様の作用効果を得ることができる。
【符号の説明】
【００２９】
１１          下保護シート
１２          粘着層
１３          カバーシート
１４          粘着層
１５          開口部
１６          上保護シート
１７          粘着層
Ｓ１〜Ｓ１０  スイッチ部品（電気部品本体部）
Ｄ１〜Ｄ４    ＬＥＤ（電気部品本体部）
Ｌ            リード線
Ｔ            接続端子
【図１】
0003192029.tif 000003
【図２】
0003192029.tif 000004
【図３】
0003192029.tif 000005